(57)【要約】【課題】  光ピックアップ装置の特性を検査するための光ピックアップ装置検査用ディスクであって、使用波長が互いに同一であって信号記録面上の透明基板の厚さが互いに同一である複数種類の光ディスクに対応された光ピックアップ装置の各種特性を検査を、１枚の光ディスクによって行うことができるようにする。【解決手段】  再生用のレーザビーム及び記録用のレーザビームのいずれが照射されても反射率特性が変化しない反射膜を有する光ディスクであって、内周側及び外周側とに分割してグルーブ領域２及びピット領域１を形成し、これらグルーブ領域２におけるグルーブ及びピット領域１におけるピットの深さを使用波長の１／６乃至１／５とし、グルーブを、ウォブル信号が検出できるように所定の周期で蛇行しているものとした。【選択図】      図１
2006209868.tif 000002
【特許請求の範囲】
【請求項１】
使用波長が互いに同一であって信号記録面上の透明基板の厚さが互いに同一である複数種類の光ディスクに対応された光ピックアップ装置の特性を一度に検査するために使用され、前記光ディスクに対してレーザビームを照射して情報信号の記録又は再生を行う光ピックアップ装置の特性を検査するための光ピックアップ装置検査用ディスクであって、
再生用のレーザビーム及び記録用のレーザビームのいずれが照射されても反射率特性が変化しない反射膜と、
内周側及び外周側とに分割されて形成されたグルーブ領域及びピット領域とを有し、
前記グルーブ領域におけるグルーブ及び前記ピット領域におけるピットの深さが、前記使用波長の１／６乃至１／５であり、
前記グルーブは、ウォブル信号を検出するために所定の周期で蛇行していることを特徴とする光ピックアップ装置検査用ディスク。
【請求項２】
使用波長が互いに同一であって信号記録面上の透明基板の厚さが互いに同一である複数種類の光ディスクに対応された光ピックアップ装置の特性を一度に検査するために、前記光ディスクに対してレーザビームを照射して情報信号の記録又は再生を行い、前記光ピックアップ装置の特性を検査する光ピックアップ装置検査方法において、
前記光ピックアップ装置によりこの光ピックアップ装置に対応する光ディスクから読み取られる信号と、前記光ピックアップ装置により請求項１記載の光ピックアップ装置検査用ディスクから読み取られる信号との相関関係を予め設定しておき、
前記光ピックアップ装置検査用ディスクを用いて、読み取られる信号と前記相関関係とから、前記光ピックアップ装置の特性を検査することを特徴とする光ピックアップ装置検査方法。
【発明の詳細な説明】
【技術分野】
【０００１】
本発明は、光記録媒体に対してレーザビームを照射して情報信号の記録又は再生を行う光ピックアップ装置の特性を検査するための光ピックアップ装置検査用ディスク及び光ピックアップ装置検査方法に関する。
【背景技術】
【０００２】
従来、高度情報社会における記録媒体の中心的役割の担い手として、レーザビームを照射して情報信号の記録、または、再生を行う光ディスクが注目されている。このような光ディスクとしては、例えば、音楽情報やコンピュータプログラムなどが記録される「ＣＤ」（Compact Disc：商標名）や、画像情報が記録される「ＤＶＤ」（Digital Versatile Disc：商標名）などが知られている。
【０００３】
これら光ディスクにおいては、使用波長が互いに同一であって信号記録面上の透明基板の厚さが互いに同一であるものにおいて、情報信号の再生のみが可能であるもの（ＲＯＭディスク）、情報信号の１回のみの記録（追記）が可能であるもの（Ｒ／ＲＷディスク）、情報信号の消去及び記録（オーバーライト）が可能であるもの（ＲＡＭディスク）などが提案されている。
【０００４】
そして、このような種々の光ディスクを用いて記録又は再生を行う光ピックアップ装置においては、各種類の光ディスクごとに、再生され、または、記録する信号の仕様が定められている。したがって、このような光ピックアップ装置の製造工程において、この光ピックアップ装置の特性を検査するためには、各種類の光ディスクを用いて信号を再生、または、記録し、各信号の状態を測定し、判定する必要がある。
【０００５】
そのため、このような光ピックアップ装置の特性を検査のためには、図１３に示すように、複数種の光ディスク１０１，１０２，１０３の記録再生に対応した検査装置１０４を準備し、この検査装置１０４に検査対象となる光ピックアップ装置１０５を装着して、複数回のディスク交換を行い、各光ディスクごとに対応する検査工程を行っている。検査装置１０４としては、検査対象となる光ピックアップ装置が対応された複数種の光ディスク１０１，１０２，１０３に対応したものが必要である。
【０００６】
そして、特許文献１には、「ＤＶＤ」光ピックアップ装置用光ピックアップ装置のように「ＣＤ」及び「ＤＶＤ」を再生する光ピックアップ装置の特性を検査、調整するための検査用ディスクとして、図１４に示すように、「ＣＤ」と「ＤＶＤ」とを１枚の光ディスクの内周外周に領域分割して構成した複合ディスクが記載されている。この検査用ディスクは、ディスク厚が０．６ｍｍの領域１０１ａとディスク厚が１．２ｍｍの領域１０１ｂとを有して構成されており、１台の検査装置において、ディスク交換をせずに、「ＣＤ」及び「ＤＶＤ」を再生する光ピックアップ装置の特性の検査及び調整を可能としている。
【特許文献１】特開２００１−２９１２７４公報
【発明の開示】
【発明が解決しようとする課題】
【０００７】
ところで、従来の光ピックアップ装置の特性の検査においては、前述したように、各検査工程において、その工程で必要となる光ディスクを検査装置に装着しなければならないため、検査工程ごとにディスク交換を行うこととなる。そのため、このような光ピックアップ装置の特性の検査においては、各検査工程において重複した作業が発生し、検査時間の短縮化を図ることができない。
【０００８】
また、このような光ピックアップ装置の特性の検査においては、各検査工程が、ディスク交換を経て異なる光ディスクを用いて行われることから、各検査工程における検査結果の互換性を維持することが困難である。
【０００９】
そして、前述したような複合ディスクは、１回のカッティング工程によって構成できるものでなければならないため、「ＣＤ」及び「ＤＶＤ」の再生用の光ピックアップ装置の特性の検査、調整のための検査用ディスクはできるが、例えば、「ＤＶＤ」における複数のディスクフォーマットを含む複合ディスクを構成することは不可能であった。「ＤＶＤ」における複数のディスクフォーマットとは、使用波長やディスク厚は等しいが、再生用及び記録用を含み、グルーブ構造やグルーブの深さ等が互いに異なるものである。
【００１０】
さらに、記録用の光ピックアップ装置の特性を検査するための光ディスクとしては、光ピックアップ装置によって信号の記録がなされる信号記録層を有するものが使用される。この光ディスクを用いて記録時のプッシュプルバランスを検査する工程においては、トラッキング制御を行わずに、光ピックアップ装置からの出射光を記録用の光パワーとする。そのため、光ディスク上のグルーブ以外の部分にも記録が行われ、通常ではありえない異常な状態の記録がされる。そして、この光ディスクにおいては、オーバーライトの回数で特性が異なってくるため、一旦使用した領域は次の光ピックアップ装置の検査では使用できず、次の光ピックアップ装置の検査は、未記録の領域を用いて行う必要がある。したがって、光ピックアップ装置の検査を行うたびに記録済みの領域が増加してゆき、未記録の領域がなくなるとその光ディスクは使用できなくなるため、光ディスク上の領域の管理が面倒である。
【００１１】
そこで、本発明は、前述の実情に鑑みて提案されるものであって、光ディスクに対してレーザビームを照射して情報信号の記録又は再生を行う光ピックアップ装置の特性を検査するための光ピックアップ装置検査用ディスク及び光ピックアップ装置検査方法において、使用波長が互いに同一であって信号記録面上の透明基板の厚さが互いに同一である複数種類の光ディスクに対応された光ピックアップ装置の各種特性を検査を、１枚の光ディスクによって行うことができるようにすることを目的とする。
【課題を解決するための手段】
【００１２】
前述の課題を解決するため、本発明においては、光ピックアップ装置検査用ディスクのパラメータを、複数種類の別個の光ディスクを用いた場合に得られる信号特性と相関関係がとれる信号特性となるものとし、また、光ピックアップ装置からの出射光を記録パワーとしても記録が行われないＲＯＭディスクとすることにより、ディスク交換をせずに、１回の検査により、再生及び記録についての検査を行えるようにするものである。そして、この光ピックアップ装置に対応する複数種類の別個の光ディスクから読み取られる信号特性との相関関係を予め把握しておき、この相関関係に基づいて、光ピックアップ装置の特性を検査するものである。
【００１３】
すなわち、本発明に係る光ピックアップ装置検査用ディスクは、以下の構成を有する。
【００１４】
〔構成１〕
使用波長が互いに同一であって信号記録面上の透明基板の厚さが互いに同一である複数種類の光ディスクに対応された光ピックアップ装置の特性を一度に検査するために使用され光ディスクに対してレーザビームを照射して情報信号の記録又は再生を行う光ピックアップ装置の特性を検査するための光ピックアップ装置検査用ディスクであって、再生用のレーザビーム及び記録用のレーザビームのいずれが照射されても反射率特性が変化しない反射膜と、内周側及び外周側とに分割されて形成されたグルーブ領域及びピット領域とを有し、グルーブ領域におけるグルーブ及びピット領域におけるピットの深さが、使用波長の１／６乃至１／５であり、グルーブは、ウォブル信号を検出するために所定の周期で蛇行していることを特徴とするものである。
【００１５】
この光ピックアップ装置検査用ディスクは、再生用のレーザビーム及び記録用のレーザビームのいずれが照射されても反射率特性が変化しない反射膜を有しているため、記録パワーの光ピックアップ装置からの出射光を照射されても特性が変化せず、記録用ディスクを用いて行う検査工程を何度も繰り返して実行することができる。
【００１６】
この光ピックアップ装置検査用ディスクは、ピット領域の特性が、通常のＲＯＭディスクと同等となっており、また、記録用ディスクで評価すべきプッシュプル関係の信号特性として、本来の記録用ディスク（〔−Ｒ〕ディスクや〔−ＲＷ〕ディスク）を用いた場合と同等の信号特性が得られ、予め把握される相関係数により、光ピックアップ装置の特性を推定することができる。また、この光ピックアップ装置検査用ディスクにおいては、ウォブル（Wobble）検査も可能である。
【００１７】
そして、本発明に係る光ピックアップ装置検査方法は、以下の構成を有する。
【００１８】
〔構成２〕
使用波長が互いに同一であって信号記録面上の透明基板の厚さが互いに同一である複数種類の光ディスクに対応された光ピックアップ装置の特性を一度に検査するために光ディスクに対してレーザビームを照射して情報信号の記録又は再生を行い光ピックアップ装置の特性を検査する光ピックアップ装置検査方法において、光ピックアップ装置によりこの光ピックアップ装置に対応する光ディスクから読み取られる信号と、光ピックアップ装置により請求項１記載の光ピックアップ装置検査用ディスクから読み取られる信号との相関関係を予め設定しておき、光ピックアップ装置検査用ディスクを用いて、読み取られる信号と相関関係とから、光ピックアップ装置の特性を検査することを特徴とするものである。
【００１９】
この光ピックアップ装置検査方法においては、光ピックアップ装置検査用ディスクとして、再生用のレーザビーム及び記録用のレーザビームのいずれが照射されても反射率特性が変化しない反射膜を有する光ディスクを用いるため、記録パワーの光ピックアップ装置からの出射光を照射しても光ピックアップ装置検査用ディスクの特性が変化せず、記録用ディスクを用いて行う検査工程を何度も繰り返して実行することができる。
【００２０】
この光ピックアップ装置検査方法において使用する光ピックアップ装置検査用ディスクは、ピット領域の特性が、通常のＲＯＭディスクと同等となっており、また、記録用ディスクで評価すべきプッシュプル関係の信号特性として、本来の記録用ディスク（〔−Ｒ〕ディスクや〔−ＲＷ〕ディスク）を用いた場合と同等の信号特性が得られ、予め把握される相関係数により、光ピックアップ装置の特性を推定することができる。また、この光ピックアップ装置検査方法においては、ウォブル（Wobble）検査も可能である。
【発明の効果】
【００２１】
本発明に係る光ピックアップ装置検査用ディスク及び光ピックアップ装置検査方法においては、使用波長が互いに同一であって信号記録面上の透明基板の厚さが互いに同一である複数種類の光ディスクについて記録又は再生を行う光ピックアップ装置の特性の検査を、１枚の光ピックアップ装置検査用ディスクを用いて一度に迅速に行うことができる。
【００２２】
そして、この光ピックアップ装置検査用ディスクは、再生用のレーザビーム及び記録用のレーザビームのいずれが照射されても反射率特性が変化しない反射膜を有する光ディスクであるため、記録パワーの光ピックアップ装置からの出射光を照射されても特性が変化せず、記録用ディスクを用いて行う検査工程を何度も繰り返して実行することができる。
【００２３】
この光ピックアップ装置検査用ディスクは、ピット領域の特性が、通常のＲＯＭディスクと同等となっており、また、記録用ディスクで評価すべきプッシュプル関係の信号特性として、本来の記録用ディスク（〔−Ｒ〕ディスクや〔−ＲＷ〕ディスク）を用いた場合と同等の信号特性が得られ、予め把握される相関係数により、光ピックアップ装置の特性を推定することができる。また、この光ピックアップ装置検査用ディスクにおいては、ウォブル（Wobble）検査も可能である。
【００２４】
すなわち、本発明は、光ディスクに対してレーザビームを照射して情報信号の記録又は再生を行う光ピックアップ装置の特性を検査するための光ピックアップ装置検査用ディスク及び光ピックアップ装置検査方法において、使用波長が互いに同一であって信号記録面上の透明基板の厚さが互いに同一である複数種類の光ディスクに対応された光ピックアップ装置の各種特性を検査を、１枚の光ディスクによって行うことができるようにするものである。
【発明を実施するための最良の形態】
【００２５】
以下、本発明の光記録媒体の最良の実施形態について、図面を用いて説明する。
【００２６】
〔本発明に係る光ピックアップ装置検査用ディスクの構成〕
本発明において特性を検査される光ピックアップ装置は、使用波長が互いに同一であって信号記録面上の透明基板の厚さが互いに同一である複数種類の光ディスクに対応されたものである。この複数種類のディスクとは、例えば、ＲＯＭディスク（再生専用ディスク）、Ｒ／ＲＷディスク（記録用ディスク）及びＲＡＭディスク（オーバーライト記録用ディスク）である。これらフォーマットの異なる光ディスクにおいては、コントロール信号領域のエンボス部は、光ピックアップ装置により読み取られる信号特性となっていることが必須であるため、共通の特性となっているが、記録領域においては、ピット構造やグルーブ構造、反射膜特性、ＲＦ信号の再生原理の違い等に応じて差がある。
【００２７】
図１は、本発明に係る光ピックアップ装置検査用ディスクの構成を示す平面図及び要部斜視図である。
【００２８】
本発明に係る光ピックアップ装置の検査に用いるディスクは、以下に述べる考察に基づいて、図１に示すように、内周側にピット領域（ＲＯＭディスク領域）１が形成され、外周側にグルーブ領域２が形成されるとともに、ＲＯＭディスク用の反射膜を有して構成されている。ピット及びグルーブの深さは、Ｒ／ＲＷディスクのグルーブに相当する２０ｎｍ乃至３０ｎｍか、または、これと同等のＰＰ信号が得られるλ／５乃至λ／６であることが好ましい。
【００２９】
なお、「ＤＶＤ」のＲ／ＲＷディスクにおいては、コピーマネジメント対応のため、ガラス材料の選定や、複数回エッチング法、エンボスに応じたレジスト厚に露光量を制御することなどにより、コントロールデータ部にカッティングパラメータ（エンボス部及びグルーブ深さ）の異なる領域を形成することによって、ピット領域とグルーブ領域とを合成して複合化している。
【００３０】
本発明に係る光ピックアップ装置検査用ディスクにおいても、このような方法により、同一のディスク上に、ピット領域１とグルーブ領域２とを、半径位置を分けて有するように構成されている。
【００３１】
〔本発明に係る光ピックアップ装置検査方法の概要〕
光ディスクに対してレーザビームを照射して情報信号の記録又は再生を行う光ピックアップ装置においては、以下の特性は、使用する光ディスクの種類に関係しない。
【００３２】
（１）信号を読み書きする光スポットを形成するための往路光学系の特性
（２）光ディスクからの反射光を受光素子まで伝達するための復路光学系の特性
（３）受光素子により反射光を電気信号に変換する受光系の特性
これらの特性は、光学的な測定系を用いて検査することができる。そして、これらの特性が、各種のディスクフォーマットにおいて必要とする信号特性に影響する度合いを予め把握しておけば、光学的な測定系を用いた検査結果に基づいて、光ピックアップ装置の特性を判断し管理することができる。
【００３３】
そして、本発明に係る光ピックアップ装置検査方法においては、検査用ディスクを用いる必要がある検査項目についても、複数のディスクフォーマットに共通するパラメータの単一の光ディスクを用いて検査を行い、各検査項目に対応する別個の光ディスクを用いた場合に得られる信号特性との相関関係を予め把握しておくことにより、単一の光ディスクを用いた検査結果から、各検査項目の検査結果を推定できるようにするものである。
【００３４】
〔光ピックアップ装置が対応する複数種類の光ディスクについて〕
図２は、「ＤＶＤ」における各種類の光ディスクの構造を示す斜視図である。
【００３５】
「ＤＶＤ」においては、図２中の（ａ）に示すＲＯＭディスク（再生専用ディスク）、図２中の（ｂ）に示すＲ／ＲＷディスク（記録用ディスク）及び図２中の（ｃ）に示すＲＡＭディスク（オーバーライト記録用ディスク）が存在する。これらフォーマットの異なる「ＤＶＤ」においては、コントロール信号領域のエンボス部は、光ピックアップ装置により読み取られる信号特性となっていることが必須であるため、共通の特性となっているが、記録領域においては、ピット構造やグルーブ構造、反射膜特性、ＲＦ信号の再生原理の違い等に応じて差がある。
【００３６】
ところで、ＲＦ信号レべルについては、反射光の総和の強度変調で検出し、光ピックアップ装置により読み取られ得る変調度の仕様（６０％以上）になっているため、ＲＯＭディスクを用いた検査によって判断することができる。
【００３７】
また、ジッタについては、ＲＯＭディスクとＲ／ＲＷディスク、ＲＡＭディスクとでは、記録特性は、前述した光学的な共通項目によって判断することができる。
【００３８】
さらに、フォーカス制御用のフォーカス誤差信号レベル信号については、ＲＯＭディスク、Ｒ／ＲＷディスク及びＲＡＭディスクにおける違いは、反射率の違いであり、ＲＯＭディスクを用いた検査によって判断することができる。
【００３９】
また、光検出器（ＰＤ）の位置ずれによる合焦ずれ特性は、ＲＯＭディスクを用いた検査によって判断することができる。また、デフォーカスによる特性変化は、スポットの特性に関係するので、前述した光学的な共通項目によって判断することができる。
【００４０】
そして、トラッキング用信号については、ディスク構造の違いにより、信号特性がそれぞれ異なるため、検査用ディスクを用いた検査が必要である。
【００４１】
すなわち、ここで検査対象とする光ピックアップ装置においては、ＲＯＭディスクにおいては、トラッキング用信号として、ＤＰＤ（Differential Phase Detection）信号を検出している。Ｒ／ＲＷディスクは、グルーブ及びＬＰＰ（Land Pre−Pit）を有する構造を有しており、光ピックアップ装置においては、トラッキング用信号として、プッシュプル信号を安定化したＤＰＰ（Differential Push-Pull）信号が用いられる。ＲＡＭディスクにおいては、ランドグルーブ方式が採用され、光ピックアップ装置においては、トラッキング用信号としてプッシュプル（Push-Pull）信号が単独で用いられ、制御性能の良い特性が得られている。
【００４２】
このように、トラッキング用信号については、ディスク構造の違いにより信号特性がそれぞれ異なり、検査用ディスクを用いた検査を行うこととなる。
【００４３】
トラッキング用信号であるＤＰＤ信号の仕様は、再生特性に関しては、いずれの「ＤＶＤ」についても共通して再生できなければならず、ＲＯＭディスクを再生する場合の検査特性と相関が強いので、ＲＯＭディスクを用いた検査によって判断することができる。
【００４４】
また、記録用ディスク（Ｒ／ＲＷディスク及びＲＡＭディスク）においては、プッシュプル方式によって、アドレス信号、ウォブル（Wobble）信号を検出している。したがって、ＲＯＭディスクにおいては用いられていないプッシュプル信号の品位（通常再生及びレンズシフト時、デフォーカス時のトレランス、記録時の変動）の検査が必要である。
【００４５】
プッシュプル信号は、グルーブの深さに関して、記録用ディスクとほぼ同一、または、信号特性上対称な値で同一と見なされるパラメータの検査用ディスクを用いれば、基本検出方法が同じ原理であるため、これら記録用ディスク及び検査用ディスクの間には、一定の関係が認められ、強い相関関係がある。本発明においては、このような相関関係を用いて、１種類の検査用ディスクを用いた１回の検査により得られた信号特性を、他の記録用ディスク等を用いた場合に得られる信号特性に換算することにより、複数種類の光ディスクを使うことなく光ピックアップ装置の特性を判断することが可能となり、検査工程の簡素化を図ることができる。
【００４６】
図３は、グルーブとスポットの相対位置が変化したときのファーフィールドパターンの変化を示すグラフである。
【００４７】
光ディスク上の光スポットがグルーブを横切るときに現れるのが、図３に示すように、トラッキング信号である。そして、グルーブが極僅かのレベルで周期的なうなり（蛇行）を有しているために現れるのがウォブル（Wobble）信号である。
【００４８】
図４は、ランドの途切れであるＬＰＰ（Land Pre−Pit）をスポットが走査したときのファーフィールドパターンの変化と差動演算で検出されたＬＰＰとウォブル波形を示すグラフである。
【００４９】
ウォブル周期は、一例としては、１４０．６４５ＫＨｚ、ウォブルさせるうねりの振幅は、プッシュプル信号レベルで正規化して、０．０８＜〔ウォブル振幅／ＭＰＰ振幅〕＜０．１４である。なお、ＲＡＭディスクでは、アドレス（ＣＡＰＡ）信号、ランド、グルーブのトラッキング信号は、差動演算により検出される。
【００５０】
ここで、グルーブ型ディスク（Ｒ／ＲＷディスク及びＲＡＭディスク）及びピット型ディスク（ＲＯＭディスク）を再生したときのＰＰ（プッシュプル（Push−Pull））信号のレベルには、以下の関係がある。
【００５１】
ＰＰ＝ｒ・sin（πｗ／ｐ）・sin（４πｄ／λ）・sin（２πｕ／ｐ）
（ただし、ｗは、グルーブ（溝）の幅、ｐは、ピッチ、ｄは、グルーブの深さ、ｕは、読み取りスポットとグルーブの中心ズレである。）
図５は、前記関係式のにおけるグルーブの深さ（ｄ）とＰＰ信号のレベルとの関係を示すグラフである。
【００５２】
光ディスクからの反射光の強度分布の左右差であるプッシュプル信号は、図５に示すように、レーザビームの波長をλとして、グルーブの深さがλ／８のときに最大となり、その深さの前後で対称にレベルが低下する特性を有している。
【００５３】
Ｒ／ＲＷディスクにおいては、アドレス信号をランドプレピット（ＬＰＰ）により形成しており、グルーブ記録で良好なジッタ特性を得て、プッシュプル方式のトラッキング信号及びＬＰＰ信号（ＬＰＰ信号のＲＦ信号への妨害度の少ない範囲も含む）の再生特性を良好にするため、グルーブの深さは、２０ｎｍから３０ｎｍとなっている。
【００５４】
一方、ＲＯＭディスクにおいては、ＲＦ信号の変調度が０．６以上であること、ＤＰＤ信号及びＴＰＰ（Tangential Push-Pull）信号の特性によって、構造寸法パラメータが規定されており、ピットの深さは、λ／４（１１０ｎｍ）付近である。
【００５５】
そして、ＲＡＭディスクにおいては、ランド及びグルーブの混在した構造であり、グルーブの深さは、λ／６（７４ｎｍ）の仕様となっている。
【００５６】
〔光ピックアップ装置の光検出器（ＰＤ）のずれについて〕
次に、光ピックアップ装置の光検出器（ＰＤ）における受光パターンの分割線のずれに関して説明する。
【００５７】
前述の図３においては、スポットがグルーブを横切り、光ピックアップ装置の光検出器（ＰＤ）が受光パターンの中央で正確に分割している場合について示していたが、ここで、受光光学系が受光パターンの中心からずれると、ＰＰ信号のバランスがくずれる。なお、図３は、ＰＰ信号の説明図であり、差動演算の結果が最大となる場合のファーフィールドパターンを示している。
【００５８】
図６は、Ｒ／ＲＷディスク及びＲＡＭディスクにおけるグルーブとスポットの相対位置が変化したときのファーフィールドパターンを示す正面図である。
【００５９】
図７は、光ピックアップ装置の光検出器（ＰＤ）の受光パターン分割線のずれの状態を示す正面図である。
【００６０】
図８は、光ピックアップ装置の光検出器（ＰＤ）の受光パターン分割線が同一程度ずれた場合のＲ／ＲＷディスクにおけるＰＰ信号（図８中の（ａ））とＲＡＭディスクにおけるＰＰ信号（図８中の（ｂ））とを示すグラフである。
【００６１】
Ｒ／ＲＷディスクでは、グルーブが浅いので、図６乃至図８に示すように、ＰＰ信号の変調度が少なく、光検出器（ＰＤ）の受光パターン分割線の精度や光量バランスによるプッシュプル信号の変動が大きい。このような分割線のずれは、サーポを安定に動作させる観点や、ＬＰＰ信号、ウォブル信号の検出精度に影響する。
【００６２】
ところで、トラッキング信号は、ＤＰＰ方式により、３本のレーザビームを用いて検出している。すなわち、メインビーム及び２本のサブビームにより、それぞれＰＰ信号を形成し、トラッキング信号についてはこれらを逆相で、迷光やレンズシフトによるオフセットについてはこれらを同相で打ち消すことにより、動作を安定化させている。ここでは、メインビームとサブビームとで、ＰＰ信号がバランスして同相に変動することが重要である。
【００６３】
そして、受光系における光検出器（ＰＤ）の受光素子の検出感度差や迷光の混入がアンバランスであると、ＰＰ信号の同相変動に差が出てしまう。ＰＰ信号のバランスの管理は、反射光束を分割する受光素子の位置調整精度によるため、受光素子の分割線の精度管理によって先行して行なうが、実際の信号でも検査する必要があり、分割線が光ディスクからの反射光のファーフィールド分布の中央で分割しているかを評価するため、光検出器（ＰＤ）のバランスを検査する必要がある。
【００６４】
しかし、発光素子である半導体レーザのファーフィールドパターンは、最近の実屈折型半導体レーザでは、再生パワー出射時と記録パワー出射時とでは、発散角度が変化する。また、静電特性を改善するために窓構造を採用した半導体レーザでは、発光射出面にある窓構造用の媒体の屈折率がレーザチップと異なるため、動作時の温度分布の違いにより、発光軸が傾斜する傾向がある。そのため、発光パワーによってパターンが移動し、分割線が変化したと同様の現象が生じ、光検出器（ＰＤ）のバランスが崩れるという問題がある。さらに、光検出器（ＰＤ）の受光素子間のクロス卜ークによって光電流が他の受光素子に混入し、実効的な分割位置が乱れることもあった。これらは、ファーフィールドパターンを差動検出している場合、分割線の変動と等価であり、ＰＰ信号の変動特性に影響するため、検査工程で管理する必要がある。
【００６５】
図９は、ＰＰ信号（トラッキング信号）のバランスの定義を示す波形図である。
【００６６】
ＰＰ信号（トラッキング信号）のバランスは、図９に示すように、信号の中点がグランド（ＧＮＤ）よりずれている量を信号振幅で割って表す（すなわち、＋側振幅をＡ、−側振幅をＢとすると、トラッキング信号のバランスは、｛（Ａ−Ｂ）／２（Ａ＋Ｂ）｝×１００（％）で示される）。信号の記録を行う光ピックアップ装置では、再生時の動作と記録時の動作の両方について、ＰＰ信号のバランスを検査する必要がある。出射光のパワーが増加しても、ＰＰ信号のバランスについて、比例関係が保持されていると仮定できればよいが、種々の要因により、比例関係にはならないためである。
【００６７】
トラッキング信号は、ＤＰＰ方式によって安定化されるとしても、バランスがずれていることは、光検出器（ＰＤ）における分割線の位置が最適でない状態である。この状態では、すでに記録されているトラックを再生し、ＬＰＰ信号やウォブル信号を検出するとき、記録されたＲＦ信号成分がキャンセルされなくなり、品位の良い信号が得られないという結果になる。
【００６８】
図１０は、ＬＰＰ信号及びウォブル信号に記録部の信号を示す記録信号が混入している状態を示す波形図である。
【００６９】
記録動作時には、図１０に示すように、出射光パワーが記録用の光レベルとなり、再生時の１０倍程度となる。この状態でも、トラッキング信号は、バランスが保たれている必要がある。
【００７０】
また、ウォブル信号、ＬＰＰ信号は、記録動作時においては、記録のためにストラテジでパルス状に変化する光パワー変化の変動成分が、差動によりキャンセルされることを前提にしている。差動を行うための各素子の強度バランスは、数％以下である必要がある。したがって、記録時の検出特性の安定化のために、ＰＰ信号のバランスを検査する必要がある。このように、ＰＰ信号のバランスについては、再生動作時及び記録動作時の両方について確認する必要がある。
【００７１】
そして、Ｒ／ＲＷディスクに対して、プッシュプル信号出力について等価なＲＯＭディスクは、前述した関係式より求められる。すなわち、２５ｎｍのグルーブの深さは、ディスク基板の屈折率が１．５５、再生波長が６６０ｎｍの場合には、λ／１７にあたる。これと同じトラッキング信号が得られるグルーブの深さは、λ／８を中心とする対称な深さであるため、〔λ／８−（λ／８−λ／１７）〕より、〔１３（λ／６８）＝λ／５．２＝８１．４ｎｍ（ｎ＝１．５５）〕となる。
【００７２】
また、グルーブの幅は、ピッチの半分で最大となるので、ＲＯＭディスクで近い値のものであってもなくても比例関係であり、検査に用いるディスクにおいて相関関係を検証すれば、互換の関係はとれる。
【００７３】
ＲＡＭディスクは、ランドグルーブ方式が採用され、グルーブの深さは７０ｎｍ程度であり、プッシュプル方式で検出されるトラッキング信号、アドレス信号（ＣＡＰＡ）、ウォブル信号は、Ｒ／ＲＷディスクのパラメータより品質が良い。そのため、条件の厳しいＲ／ＲＷディスクで検査すればよい。
【００７４】
ＲＡＭディスクの場合は、コントロールトラック部のＲＦ信号品質は、規格により変調度の範囲が低いレベルまで許容されていおり、原理的に劣るため、この信号の特性が推定できる必要がある。
【００７５】
〔本発明に係る光ピックアップ装置検査方法〕
図１１は、本発明に係る光ピックアップ装置検査用ディスクにおいて、ピット領域とグルーブ領域におけるＭＰＰバランスの相関関係を示すグラフである。
【００７６】
本発明に係る光ピックアップ装置検査用ディスクにおいて、ピット領域とグルーブ領域におけるＭＰＰバランスは、図１１に示すように、相関関係が強く、ピット領域を用いた評価でも十分である判断できる。すなわち、ピット深さがλ／５乃至λ／６であるピット領域を再生し、ＰＰ信号のバランスを測定すれば、Ｒ／ＲＷディスク及びＲＡＭディスクにおける信号特性を推定することができる。
【００７７】
記録動作時のＰＰ信号のバランスの変動は、光パワーを記録レベル相当（各ディスクの反射率×記録パワー）にすれば、反射光量が記録状態となり、このときのＰＰ信号のバランスを検査することで判断できる。ＰＰ信号を形成する２つの受光素子の光量を波形の平均値により、総和信号と差動分とで光量のバランスを示す指標が得られ、これにより、記録動作時にＬＰＰ信号やウォブル信号を検出しているときのストラテジ波形の回り込み量も推定することができる。
【００７８】
前記図１０に示したように、Ｒ／ＲＷディスクにおいて再生動作から記録動作に切換えたときのは、トラッキング信号、ウォブル信号、ＬＰＰ信号は、動作の切り替わりで波形が変化する。これと同様な特性は、この検査用ディスクを用いた場合でも、記録パワー相当に光パワーを変化させることにより、評価することができる。また、トラッキング信号については、トラッキングサーボ動作をオフ状態として検査するが、この検査用ディスクはＲＯＭディスク用反射膜を有するので、信号の記録がされることもなく、１枚の記録用ディスクにより、何度でも繰り返して検査を行うことができる。
【００７９】
ピット領域においては、トラッキング信号のみ評価できるが、プッシュプル信号のバランスより、ＬＰＰ信号及びウォブル信号検出時のバランス状態は検査することができる。そして、Ｒ／ＲＷディスクのグルーブ構造を有するグルーブ領域においては、記録動作時のＬＰＰ信号及びウォブル信号を評価することができる。
【００８０】
このようにして、この光ピックアップ装置検査方法においては、各種類の別個の光ディスクを用いて再生動作及び記録動作を行ったときのＰＰ信号の特性等を推定することができる。このような検査により、少ない検査工程で、複数種類の光ディスクに対応された光ピックアップ装置の検査が可能である。
【００８１】
図１２は、本発明に係る光ピックアップ装置検査方法を実行する検査装置を示す側面図である。
【００８２】
すなわち、本発明に係る光ピックアップ装置検査方法においては、図１２に示すように、１枚の検査用ディスク３を検査装置４に装着したままの状態で、光ピックアップ装置５の種々の特性に関する検査を行うことができる。
【図面の簡単な説明】
【００８３】
【図１】本発明に係る光ピックアップ装置検査用ディスクの構成を示す平面図及び要部斜視図である。
【図２】光ディスク（「ＤＶＤ」）における各種類の光ディスクの構造を示す斜視図である。
【図３】光ディスクにおけるグルーブとスポットの相対位置が変化したときのファーフィールドパターンの変化を示すグラフである。
【図４】光ディスクにおけるランドの途切れであるＬＰＰ（Land Pre−Pit）をスポットが走査したときのファーフィールドパターンの変化と差動演算で検出されたＬＰＰとウォブル波形を示すグラフである。
【図５】光ディスクにおけるグルーブ（溝）の深さとＰＰ（プッシュプル）信号のレベルとの関係を示すグラフである。
【図６】Ｒ／ＲＷディスク及びＲＡＭディスクにおけるグルーブとスポットの相対位置が変化したときのファーフィールドパターンを示す正面図である。
【図７】光ピックアップ装置の光検出器（ＰＤ）の受光パターン分割線のずれの状態を示す正面図である。
【図８】光ピックアップ装置の光検出器（ＰＤ）の受光パターン分割線が同一程度ずれた場合のＲ／ＲＷディスクにおけるＰＰ信号とＲＡＭディスクにおけるＰＰ信号とを示すグラフである。
【図９】ＰＰ信号（トラッキング信号）のバランスの定義を示す波形図である。
【図１０】ＬＰＰ信号及びウォブル信号に記録部の信号を示す記録信号が混入している状態を示す波形図である。
【図１１】本発明に係る光ピックアップ装置検査用ディスクにおいて、ピット領域とグルーブ領域におけるＭＰＰバランスの相関関係を示すグラフである。
【図１２】本発明に係る光ピックアップ装置検査方法を実行する検査装置を示す側面図である。
【図１３】光ピックアップ装置を検査する従来の検査装置を示す側面図である。
【図１４】従来の複合ディスクの構成を示す平面図である。
【符号の説明】
【００８４】
１  ピット領域
２  グルーブ領域
【図１】
2006209868.tif 000003
【図２】
2006209868.tif 000004
【図３】
2006209868.tif 000005
【図４】
2006209868.tif 000006
【図５】
2006209868.tif 000007
【図６】
2006209868.tif 000008
【図７】
2006209868.tif 000009
【図８】
2006209868.tif 000010
【図９】
2006209868.tif 000011
【図１０】
2006209868.tif 000012
【図１１】
2006209868.tif 000013
【図１２】
2006209868.tif 000014
【図１３】
2006209868.tif 000015
【図１４】
2006209868.tif 000016